【手続補正書】
【提出日】平成30年4月20日(2018.4.20)
【手続補正１】
【補正対象書類名】特許請求の範囲
【補正対象項目名】全文
【補正方法】変更
【補正の内容】
【特許請求の範囲】
【請求項１】
増幅器システムであって、
入力電圧に応答して利得電流を導通するように構成される利得段と、
前記利得段に結合され、前記利得電流をソース又はシンクし、電流制限状態の間に前記利得電流の制限振幅を規定するように構成される、電流制限段であって、電流ミラーと電流源として配置される第１のトランジスタと第２のトランジスタとを含み、前記電流源が前記第１のトランジスタを介して所定の電流を提供し、前記第２のトランジスタが前記所定の電流に基づいて前記第１のトランジスタを介して前記利得電流をソース又はシンクするように構成される、前記電流制限段と、
前記利得段に結合され、前記利得電流に応答して出力ノードを介して出力電流を導通するように構成される出力段であって、前記出力電流が電流制限状態の間に前記制限振幅に比例する最大振幅を有する、前記出力段と、
を含む、増幅器システム。
【請求項２】
請求項１に記載の増幅器システムであって、
前記出力段が、前記電流制限状態の間に前記出力ノードから又は前記出力ノードに提供される前記出力電流を前記出力段がソース及び／又はシンクするように、トランジスタのソースフォロワ配置を含む、増幅器システム。
【請求項３】
増幅器システムであって、
差動入力電圧に応答して利得電流を導通するように構成される利得段であって、前記差動入力電圧が第１の入力電圧と第２の入力電圧とを含む、前記利得段と、
前記利得段に結合され、前記利得電流をソース又はシンクし、電流制限状態の間に前記利得電流の制限振幅を規定するように構成される、電流制限段であって、
前記第１の入力電圧と前記第２の入力電圧との間の負の差に基づいて前記利得段を介して前記利得電流をソースするように構成される第１の電流制限段と、
前記第１の入力電圧と前記第２の入力電圧との間の正の差に基づいて前記利得段を介して前記利得電流をシンクするように構成される第２の電流制限段と、
を含む、前記電流制限段と、
前記利得段に結合され、前記利得電流に応答して出力ノードを介して出力電流を導通するように構成される出力段であって、前記出力電流が電流制限状態の間に前記制限振幅に比例する最大振幅を有する、前記出力段と、
を含む、増幅器システム。
【請求項４】
増幅器システムであって、
入力電圧に応答して利得電流を導通するように構成される利得段であって、クロス結合されたトランジスタ配置として構成される複数のトランジスタを含み、前記複数のトランジスタが、シンク電流制限状態の間に前記クロス結合されたトランジスタ配置の第１のトランジスタの対を介して前記利得電流をシンクし、ソース電流制限状態の間に前記クロス結合されたトランジスタ配置の第２のトランジスタの対を介して前記利得電流をソースするように構成される、前記利得段と、
前記利得段に結合され、前記利得電流をソース又はシンクし、電流制限状態の間に前記利得電流の制限振幅を規定するように構成される、電流制限段と、
前記利得段に結合され、前記利得電流に応答して出力ノードを介して出力電流を導通するように構成される出力段であって、前記出力電流が電流制限状態の間に前記制限振幅に比例する最大振幅を有する、前記出力段と、
を含む、増幅器システム。
【請求項５】
請求項４に記載の増幅器システムであって、
前記第１のトランジスタの対の第１のトランジスタと前記第２のトランジスタの対の第１のトランジスタとがそれぞれの所定の基準電圧により制御され、前記第１のトランジスタの対の第２のトランジスタと前記第２のトランジスタの対の第２のトランジスタとが前記入力電圧により制御される、増幅器システム。
【請求項６】
請求項５に記載の増幅器システムであって、
それぞれの電流ミラーとして前記第１のトランジスタの対の前記第１のトランジスタと前記第２のトランジスタの対の前記第１のトランジスタとに結合される基準段であって、基準電流に基づいて前記所定の基準電圧の大きさを設定するように構成される、前記基準段を更に含む、増幅器システム。
【請求項７】
請求項６に記載の増幅器システムであって、
前記入力電圧が第１の入力電圧と第２の入力電圧とを含む差動電圧であり、
前記増幅器システムが、
前記第１の入力電圧に関連付けられ、前記所定の基準電圧の第２の基準電圧を介して制御される第１の基準トランジスタのソースに結合される、第１の制御ノードと、
前記第２の入力電圧に関連付けられ、前記所定の基準電圧の前記第２の基準電圧を介して制御される第２の基準トランジスタのソースに結合される、第２の制御ノードと、
を更に含み、
前記第１のトランジスタの対の前記第２のトランジスタが、前記第１の入力電圧に応答して前記第１の基準トランジスタの活性化を介して制御され、前記第２のトランジスタの対の前記第２のトランジスタが、前記第２の入力電圧に応答して前記第２の基準トランジスタの活性化を介して制御される、増幅器システム。
【請求項８】
請求項４に記載の増幅器システムであって、
前記利得段が第１の利得段であり、
前記増幅器システムが、第１の利得段電流ミラーと第２の利得段電流ミラーとを含む第２の利得段を更に含み、
前記第１のトランジスタの対の第１のトランジスタが前記第１の利得段電流ミラーに結合され、前記第２のトランジスタの対の第１のトランジスタが前記第２の利得段電流ミラーに結合され、
前記利得電流が前記それぞれの第１及び第２の利得段電流ミラーを介して前記出力電流の大きさを制御するように、前記出力段が前記第１の利得段電流ミラーと前記第２の利得段電流ミラーとに結合される、増幅器システム。
【請求項９】
請求項８に記載の増幅器システムであって、
前記出力段が、第１の出力トランジスタと第２の出力トランジスタと出力制御トランジスタとダイオードとを含み、
前記第１の出力トランジスタと前記出力制御トランジスタとが、ソースフォロワ構成に配され、
前記第１の出力トランジスタと前記出力制御トランジスタとが、前記ソース電流制限状態に応答して前記出力ノードから流すために前記出力電流を導通するように構成され、
前記第２の出力トランジスタと前記ダイオードとが、前記シンク電流制限状態に応答して前記出力ノードから提供される前記出力電流を導通するように構成される、増幅器システム。
【請求項１０】
電圧増幅器システムであって、
入力電圧に応答してシンク電流とソース電流との少なくとも一方を導通するように構成される複数のトランジスタを含む利得段であって、前記複数のトランジスタが、クロス結合されたトランジスタ配置として構成され、シンク電流制限状態の間に前記クロス結合されたトランジスタ配置の第１のトランジスタの対を介して前記シンク電流を導通し、ソース電流制限状態の間に前記クロス結合されたトランジスタ配置の第２のトランジスタの対を介して前記ソース電流を導通させるように構成される、前記利得段と、
前記シンク電流と前記ソース電流との前記少なくとも一方を提供し、電流制限状態の間に前記シンク電流と前記ソース電流との少なくとも一方の振幅制限を規定するように構成される電流ミラーを含む、少なくとも１つの電流制限段と、
前記利得段に結合され、出力ノードにおいて出力電圧を提供するために前記シンク電流と前記ソース電流との少なくとも一方に応答して前記出力ノードを介して出力電流を導通するように構成される出力段であって、前記出力電流が、電流制限状態の間に前記制限振幅に比例する最大振幅を有する、前記出力段と、
を含む、電圧増幅器システム。
【請求項１１】
請求項１０に記載の電圧増幅器システムであって、
前記第１のトランジスタの対の第１のトランジスタと前記第２のトランジスタの対の第１のトランジスタとが、それぞれの所定の基準電圧により制御され、前記第１のトランジスタの対の第２のトランジスタと前記第２のトランジスタの対の第２のトランジスタとが、前記入力電圧により制御される、電圧増幅器システム。
【請求項１２】
請求項１１に記載の電圧増幅器システムであって、
前記利得段が第１の利得段であり、
前記電圧増幅器システムが、第１の利得段電流ミラーと第２の利得段電流ミラーとを含む第２の利得段を更に含み、
前記第１のトランジスタの対の前記第１のトランジスタが前記第１の利得段電流ミラーに結合され、前記第２のトランジスタの対の前記第１のトランジスタが前記第２の利得段電流ミラーに結合され、
前記シンク電流と前記ソース電流とが前記それぞれの第１及び第２の利得段電流ミラーを介する前記出力電流の大きさを制御するように、前記出力段が前記第１の利得段電流ミラーと前記第２の利得段電流ミラーとに結合される、電圧増幅器システム。
【請求項１３】
請求項１２に記載の電圧増幅器システムであって、
前記出力段が、第１の出力トランジスタと第２の出力トランジスタと出力制御トランジスタとダイオードとを含み、
前記第１の出力トランジスタと前記出力制御トランジスタとが、ソースフォロワ構成に配され、
前記第１の出力トランジスタと前記出力制御トランジスタとが、前記ソース電流制限状態に応答して前記出力ノードから流すために前記出力電流を導通するように構成され、
前記第２の出力トランジスタと前記ダイオードがと、前記シンク電流制限状態に応答して前記出力ノードから提供される前記出力電流を導通するように構成される、電圧増幅器システム。
【請求項１４】
ハードディスクドライブ（ＨＤＤ）システムであって、
データをストアするように構成される磁気ディスクと、
前記磁気ディスクの回転を制御するように構成されるスピンドルモーターと、
前記磁気ディスクにデータを書き込み、前記磁気ディスクからデータを読み出すように構成されるヘッドと、
入力電圧に応答して利得電流を導通するように構成される利得段と、
前記利得段に結合され、前記利得電流をソース及び／又はシンクし、電流制限状態の間に前記利得電流の制限振幅を規定するように構成される、電流制限段と、
前記利得段に結合され、前記利得電流に応答して出力ノードを介して出力電流を導通するように構成される出力段であって、前記出力電流が、前記電流制限状態の間に前記制限振幅に比例する最大振幅を有する、前記出力段と、
前記出力ノードに生成される出力電圧に応答して前記磁気ディスクに関して前記ヘッドを位置づけるために音声コイルモーターと協働するように構成されるデュアルステージアクチュエータと、
を含む、ＨＤＤシステム。
【請求項１５】
請求項１４に記載のＨＤＤシステムであって、
前記入力電圧が、第１の入力電圧と第２の入力電圧とを含む差動入力電圧であり、
前記電流制限段が、
前記第１の入力電圧と第２の入力電圧との間の正の差に基づいて前記利得段を介して前記利得電流をシンクするように構成される第１の電流制限段と、
前記第１の入力電圧と前記第２の入力電圧との間の負の差に基づいて前記利得段を介して前記利得電流をソースするように構成される第２の電流制限段と、
を含む、ＨＤＤシステム。
【請求項１６】
請求項１４に記載のＨＤＤシステムであって、
前記出力段が、前記電流制限状態の間に前記出力ノードから又は前記出力ノードへ提供される前記出力電流をソース及び／又はシンクするように、前記出力段が、トランジスタのソースフォロワ配置を含む、ＨＤＤシステム。
【請求項１７】
請求項１４に記載のＨＤＤシステムであって、
前記電流制限段が、電流ミラーと電流源として配置される第１のトランジスタと第２のトランジスタとを含み、前記電流源から前記第１のトランジスタを介して所定の電流が提供され、前記第２のトランジスタが、前記第１のトランジスタを介して前記所定の電流に基づいて前記利得電流をソース及び／又はシンクするように構成される、ＨＤＤシステム。
【請求項１８】
請求項１４に記載のＨＤＤシステムであって、
前記利得段が、クロス結合されたトランジスタ配置として構成される第１及び第２のトランジスタの対を含み、前記第１のトランジスタの対がシンク電流制限状態の間に前記利得電流をシンクし、前記第２のトランジスタの対がソース電流制限状態の間に前記利得電流をソースする、ＨＤＤシステム。
【請求項１９】
請求項１８に記載のＨＤＤシステムであって、
前記第１のトランジスタの対が第１及び第２のトランジスタを含み、前記第２のトランジスタの対が第３及び第４のトランジスタを含み、
前記第１及び第３のトランジスタがそれぞれの所定の基準電圧により制御され、前記第２及び第４のトランジスタが前記入力電圧により制御される、ＨＤＤシステム。
【請求項２０】
請求項１９に記載のＨＤＤシステムであって、
それぞれの電流ミラーとして前記第１及び第３のトランジスタに結合され、基準電流に基づいて前記所定の基準電圧の振幅を設定するように構成される基準段を更に含む、ＨＤＤシステム。
【請求項２１】
請求項２０に記載のＨＤＤシステムであって、
前記入力電圧が、第１の入力電圧と第２の入力電圧とを含む差動電圧であり、
前記ＨＤＤシステムが、
前記第１の入力電圧に関連付けられ、前記所定の基準電圧の第２の基準電圧を介して制御される第１の基準トランジスタのソースに結合される第１の制御ノードと、
前記第２の入力電圧に関連付けられ、前記所定の基準電圧の前記第２の基準電圧を介して制御される第２の基準トランジスタのソースに結合される第２の制御ノードと、
を更に含み、
前記第２のトランジスタが、前記第１の入力電圧に応答して前記第１の基準トランジスタの活性化を介して制御され、前記第４のトランジスタが、前記第２の入力電圧に応答して前記第２の基準トランジスタの活性化を介して制御される、ＨＤＤシステム。
【請求項２２】
ハードディスクドライブ（ＨＤＤ）システムであって、
データをストアするように構成される磁気ディスクと、
前記磁気ディスクの回転を制御するように構成されるスピンドルモーターと、
前記磁気ディスクへデータを書き込み、前記磁気ディスクからデータを読み出すように構成されるヘッドと、
出力電圧に応答して前記磁気ディスクに関して前記ヘッドを位置づけるために音声コイルモーターと協働するように構成されるデュアルステージアクチュエータと、
増幅器システムと、
を含み、
前記増幅器システムが、
入力電圧に応答して利得電流を導通するように構成される利得段と、
前記利得段に結合され、前記利得電流をソース及び／又はシンクし、電流制限状態の間に前記利得電流の制限振幅を規定するように構成される、電流制限段と、
前記利得段に結合され、前記出力ノードにおいて前記出力電圧を提供するために前記利得電流に応答して出力ノードを介して出力電流を導通するように構成される、出力段であって、前記出力電流が、電流制限状態の間に前記制限振幅に比例する最大振幅を有する、前記出力段と、
を含む、ＨＤＤシステム。